(57)【要約】【課題】光ディスクが挿入されてから再生されるまでの間、マウント処理中である旨の表示に代え、当該光ディスクの記録内容を示すタイトル名などをディスプレイ装置に表示させることができる光ディスク記録再生装置を提供する。【解決手段】ＲＭＤの空き領域に予めタイトル情報が記録されたＤＶＤが挿入され、マウント処理が開始し、ここで、マウント処理が開始してからマウント処理が終了するまでの間に、再生リストキーが押下されてタイトル情報表示モードに設定されたとき、記録時に予めＲＭＤの空き領域に記録されたタイトル情報が読み出され、ディスプレイ装置にタイトル情報を示す再生リストが表示される。これにより、マウント処理中であっても記録タイトルの内容を早く把握することができ、ユーザにとっては使い勝手が向上する。【選択図】図４
2008130195.tif 000002
【特許請求の範囲】
【請求項１】
光ディスクに情報を記録したり、光ディスクに記録された情報を再生したりする光ディスク記録再生装置において、
記録時に光ディスクのレコーディングマネージメントデータ領域の空き領域にタイトル情報を記録させるタイトル情報記録手段と、
光ディスクが挿入されたことを検知してマウント処理を開始させるマウント処理開始手段と、
マウント処理が開始してからマウント処理が終了するまでの間にタイトル情報をディスプレイ装置に表示させるためのタイトル情報表示モードに設定されたか否かを判定するタイトル情報表示モード判定手段と、
前記タイトル情報表示モードに設定されたと判定されたとき、記録時に光ディスクのレコーディングマネージメントデータ領域の空き領域に予め記録されたタイトル情報を読み出すタイトル情報読出手段と、
前記読み出されたタイトル情報をディスプレイ装置に表示させるタイトル情報表示手段と、
前記タイトル情報をディスプレイ装置に表示している間に引き続く前記マウント処理で各種ディスク情報を前記レコーディングマネージメントデータ領域およびリードイン領域から読み出すディスク情報読出手段と、
前記各種ディスク情報が読み出されてマウント処理が終了した後、ディスプレイ装置に表示されたタイトル情報から再生させたいタイトル名がユーザ操作により選択・決定されたとき、前記タイトル情報の表示を消去するタイトル情報消去手段と、
前記タイトル情報の表示が消去された後、前記ユーザ操作により選択・決定されたタイトル名のタイトルを光ディスクから再生させる再生制御手段と、を有するシステムコントローラを備えたことを特徴とする光ディスク記録再生装置。
【請求項２】
光ディスクに情報を記録したり、光ディスクに記録された情報を再生したりする光ディスク記録再生装置において、
記録時に光ディスクのレコーディングマネージメントデータ領域の空き領域にタイトル情報を記録させるタイトル情報記録手段と、
光ディスクが挿入されたことを検知してマウント処理を開始させるマウント処理開始手段と、
マウント処理が開始してからマウント処理が終了するまでの間にタイトル情報をディスプレイ装置に表示させるためのタイトル情報表示モードに設定されたか否かを判定するタイトル情報表示モード判定手段と、
前記タイトル情報表示モードに設定されたと判定されたとき、記録時に光ディスクのレコーディングマネージメントデータ領域の空き領域に予め記録されたタイトル情報を読み出すタイトル情報読出手段と、
前記読み出されたタイトル情報をディスプレイ装置に表示させるタイトル情報表示手段と、を有するシステムコントローラを備えたことを特徴とする光ディスク記録再生装置。
【請求項３】
前記システムコントローラは、前記タイトル情報をディスプレイ装置に表示している間に引き続く前記マウント処理で各種ディスク情報を前記レコーディングマネージメントデータ領域およびリードイン領域から読み出すディスク情報読出手段と、
前記各種ディスク情報が読み出されてマウント処理が終了した後、ディスプレイ装置に表示されたタイトル情報から再生させたいタイトル名がユーザ操作により選択・決定されたとき、前記タイトル情報の表示を消去するタイトル情報消去手段と、
前記タイトル情報の表示が消去された後、前記ユーザ操作により選択・決定されたタイトル名のタイトルを光ディスクから再生させる再生制御手段と、を有することを特徴とする請求項２に記載の光ディスク記録再生装置。
【発明の詳細な説明】
【技術分野】
【０００１】
本発明は、光ディスクに情報を記録したり、光ディスクに記録された情報を再生したりする光ディスク記録再生装置に関し、特に、光ディスクに記録されているタイトル情報（番組情報）を表示させる処理に関する。
【背景技術】
【０００２】
従来の光ディスク記録再生装置（ＤＶＤレコーダ）においては、ＤＶＤ（Digital Versatile Disc）に記録されたタイトル（番組）を再生する場合、次のような手順で行われる。
【０００３】
先ず、ユーザは、例えばリモコンの電源キーを押下すると、装置内のシステムコントローラは、装置の電源をオンする。そして、タイトル（番組）が記録されたＤＶＤが挿入されると、システムコントローラは、ＤＶＤが挿入されたことを検知して、マウント処理を開始させる。即ち、システムコントローラは、ＤＶＤを少しの時間だけ回転させると共に、光ピックアップを駆動させることにより、各種ディスク情報を読み出すまでの処理（例えば図２のＰＣＡとＲＭＡとリードイン領域の情報を読み出すまでの処理）であるマウント処理を開始させる。
【０００４】
ここで、マウント処理が開始してからマウント処理が終了するまでの間は、待ち時間があるので、従来の光ディスク記録再生装置では、起動中（ローディング中）などのメッセージ表示をディスプレイ装置に行い、ユーザに知らせている。前記マウント処理が終了して、起動中の表示が消えた後、ユーザは、再生リストキーを押下すると、システムコントローラは、ＲＭＤ領域から読み出したタイトル情報（番組情報）を再生リストとしてディスプレイ装置に表示させる。
【０００５】
そして、ディスプレイ装置に表示された再生リストからユーザが再生させたいタイトル名が、ユーザによるリモコンの操作により選択・決定されたとき、システムコントローラは、タイトル情報（再生リスト）の表示を消去し、前記選択・決定されたタイトル名のタイトル（番組）をＤＶＤのデータ領域から読み出して再生させ、ディスプレイ装置の再生映像を表示させると共に、再生音声をスピーカから出力させる。
【０００６】
【特許文献１】特開２００１−１０１８４０号公報
【特許文献２】特開２００２−１７０３６１号公報
【発明の開示】
【発明が解決しようとする課題】
【０００７】
以上のような処理により、従来の光ディスク記録再生装置は、ＤＶＤに記録されたタイトルを再生する場合、前述したように、マウント処理が開始してからマウント処理が終了するまでの間は、待ち時間があるので、起動中（ローディング中）などのメッセージ表示をディスプレイ装置に行って、現在、装置が起動中であることをユーザに知らせているが、ユーザにとってはマウント処理中の待ち時間が無駄になるという課題が生じる。
【０００８】
なお、特許文献１の従来技術では、映像情報に関連した管理情報を、記録媒体に記録の映像情報本体とは別な高速アクセスが可能な場所に記録し、記録媒体の挿入時に管理情報を高速で読み出すことにより、記録内容を迅速に表示するようにしているが、記録媒体の挿入時に管理情報を高速で読み出し、記録内容を迅速に表示する処理は、前述したようなマウント処理中に行っているという開示がないので、マウント処理が開始してからマウント処理が終了するまでの時間が遅れて、この結果、再生開始時間が遅れるという課題が生じる。
【０００９】
特許文献２の従来技術では、タイトルを管理するための管理領域を予め確保し、光ディスク挿入直後にユーザが必要とする情報を前記管理領域に記録することにより、光ディスク挿入時に全てのコンテンツタイトルを瞬時にユーザに提示するようにしているが、この従来技術も、前記全てのコンテンツタイトルの提示をマウント処理中に行っているという開示がないので、マウント処理が開始してからマウント処理が終了するまでの時間が遅れて、この結果、再生開始時間が遅れるという課題が生じる。
【００１０】
本発明は、上記のような課題を解決するためになされたもので、光ディスクが挿入されてから再生されるまでの間、マウント処理中である旨の表示に代え、当該光ディスクに記録されている内容を示すタイトル名などをディスプレイ装置に表示させることができる光ディスク記録再生装置を提供することを目的とする。
【課題を解決するための手段】
【００１１】
上記目的を達成するために、請求項１の発明は、記録時に光ディスクのレコーディングマネージメントデータ領域の空き領域にタイトル情報を記録させるタイトル情報記録手段と、光ディスクが挿入されたことを検知してマウント処理を開始させるマウント処理開始手段と、マウント処理が開始してからマウント処理が終了するまでの間にタイトル情報をディスプレイ装置に表示させるためのタイトル情報表示モードに設定されたか否かを判定するタイトル情報表示モード判定手段と、前記タイトル情報表示モードに設定されたと判定されたとき、記録時に光ディスクのレコーディングマネージメントデータ領域の空き領域に予め記録されたタイトル情報を読み出すタイトル情報読出手段と、前記読み出されたタイトル情報をディスプレイ装置に表示させるタイトル情報表示手段と、前記タイトル情報をディスプレイ装置に表示している間に引き続く前記マウント処理で各種ディスク情報を前記レコーディングマネージメントデータ領域およびリードイン領域から読み出すディスク情報読出手段と、前記各種ディスク情報が読み出されてマウント処理が終了した後、ディスプレイ装置に表示されたタイトル情報から再生させたいタイトル名がユーザ操作により選択・決定されたとき、前記タイトル情報の表示を消去するタイトル情報消去手段と、前記タイトル情報の表示が消去された後、前記ユーザ操作により選択・決定されたタイトル名のタイトルを光ディスクから再生させる再生制御手段と、を有するシステムコントローラを備えたことを特徴とする光ディスク記録再生装置を提供する。
【００１２】
この構成において、レコーディングマネージメントデータ領域（ＲＭＤ領域）に予めタイトル情報が記録され、タイトルが記録された光ディスクが挿入されると、マウント処理開始手段は、光ディスクが挿入されたことを検知して、マウント処理を開始させる。ここで、マウント処理が開始してからマウント処理が終了するまでの間に、タイトル情報表示モード判定手段は、タイトル情報表示モードに設定されたか否かを判定する。前記タイトル情報表示モードに設定されたと判定されたとき、タイトル情報読出手段は、記録時に予めＲＭＤの空き領域に記録されたタイトル情報を読み出す。
【００１３】
次に、タイトル情報表示手段は、光ディスクのＲＭＤ領域から読み出されたタイトル情報をディスプレイ装置に表示させる。そして、前記タイトル情報がディスプレイ装置に表示されている間に、ディスク情報読出手段は、引き続く前記マウント処理で各種ディスク情報をＲＭＤ領域とリードイン領域から読み出す。前記各種ディスク情報が読み出されてマウント処理が終了した後、タイトル情報消去手段は、ディスプレイ装置に表示されたタイトル情報からユーザが再生させたいタイトル名が、ユーザ操作により選択・決定されたことを検知したとき、ディスプレイ装置に表示されているタイトル情報を消去する。そして、再生制御手段は、ユーザ操作により選択・決定されたタイトル名のタイトルを光ディスクから読み出して再生させる。
【００１４】
この構成によれば、光ディスクが挿入されてから再生されるまでの間、マウント処理中である旨の表示に代え、当該光ディスクに記録されている内容を示すタイトル名などをディスプレイ装置に表示させることができるので、ユーザは、マウント処理の完了を待つ時間を有効に利用して、記録タイトルの内容を早く把握
することができる。また、タイトル情報がディスプレイ装置に表示されている間でも、各種ディスク情報の読み出しを行うことができるので、マウント処理の終了が遅くなることはなく、再生開始時間が遅れるようなことがない。
【００１５】
請求項２の発明は、記録時に光ディスクのレコーディングマネージメントデータ領域の空き領域にタイトル情報を記録させるタイトル情報記録手段と、光ディスクが挿入されたことを検知してマウント処理を開始させるマウント処理開始手段と、マウント処理が開始してからマウント処理が終了するまでの間にタイトル情報をディスプレイ装置に表示させるためのタイトル情報表示モードに設定されたか否かを判定するタイトル情報表示モード判定手段と、前記タイトル情報表示モードに設定されたと判定されたとき、記録時に光ディスクのレコーディングマネージメントデータ領域の空き領域に予め記録されたタイトル情報を読み出すタイトル情報読出手段と、前記読み出されたタイトル情報をディスプレイ装置に表示させるタイトル情報表示手段と、を有するシステムコントローラを備えたことを特徴とする光ディスク記録再生装置を提供する。
【００１６】
この構成において、レコーディングマネージメントデータ領域（ＲＭＤ領域）に予めタイトル情報が記録され、タイトルが記録された光ディスクが挿入されると、マウント処理開始手段は、光ディスクが挿入されたことを検知して、マウント処理を開始させる。ここで、マウント処理が開始してからマウント処理が終了するまでの間に、タイトル情報表示モード判定手段は、タイトル情報表示モードに設定されたか否かを判定する。前記タイトル情報表示モードに設定されたと判定されたとき、タイトル情報読出手段は、記録時に予めＲＭＤの空き領域に記録されたタイトル情報を読み出す。そして、タイトル情報表示手段は、光ディスクのＲＭＤ領域から読み出されたタイトル情報をディスプレイ装置に表示させる。
【００１７】
この構成によれば、光ディスクが挿入されてから再生されるまでの間、マウント処理中である旨の表示に代え、当該光ディスクに記録されている内容を示すタイトル名などをディスプレイ装置に表示させることができるので、ユーザは、マウント処理の完了を待つ時間を有効に利用して、記録タイトルの内容を早く把握
することができる。
【００１８】
請求項３の発明では、請求項２の発明において、前記システムコントローラは、前記タイトル情報をディスプレイ装置に表示している間に引き続く前記マウント処理で各種ディスク情報を前記レコーディングマネージメントデータ領域およびリードイン領域から読み出すディスク情報読出手段と、前記各種ディスク情報が読み出されてマウント処理が終了した後、ディスプレイ装置に表示されたタイトル情報から再生させたいタイトル名がユーザ操作により選択・決定されたとき、前記タイトル情報の表示を消去するタイトル情報消去手段と、前記タイトル情報の表示が消去された後、前記ユーザ操作により選択・決定されたタイトル名のタイトルを光ディスクから再生させる再生制御手段とを有することを特徴とする。
【００１９】
したがって、前記システムコントローラは、ディスク情報読出処理、タイトル情報消去処理、および再生制御処理を実現でき、これにより、タイトル情報がディスプレイ装置に表示されている間でも、各種ディスク情報の読み出しを行うことができ、また、再生したいタイトルが選択・決定されれば、タイトル情報の表示を消去でき、再生したいタイトルを再生させることが可能になる。
【発明の効果】
【００２０】
以上のように本発明によれば、記録時に光ディスクのレコーディングマネージメントデータ領域の空き領域にタイトル情報を記録させるタイトル情報記録手段と、光ディスクが挿入されたことを検知してマウント処理を開始させるマウント処理開始手段と、マウント処理が開始してからマウント処理が終了するまでの間にタイトル情報をディスプレイ装置に表示させるためのタイトル情報表示モードに設定されたか否かを判定するタイトル情報表示モード判定手段と、前記タイトル情報表示モードに設定されたと判定されたとき、記録時に光ディスクのレコーディングマネージメントデータ領域の空き領域に予め記録されたタイトル情報を読み出すタイトル情報読出手段と、前記読み出されたタイトル情報をディスプレイ装置に表示させるタイトル情報表示手段と、前記タイトル情報をディスプレイ装置に表示している間に引き続く前記マウント処理で各種ディスク情報を前記レコーディングマネージメントデータ領域およびリードイン領域から読み出すディスク情報読出手段と、前記各種ディスク情報が読み出されてマウント処理が終了した後、ディスプレイ装置に表示されたタイトル情報から再生させたいタイトル名がユーザ操作により選択・決定されたとき、前記タイトル情報の表示を消去するタイトル情報消去手段と、前記タイトル情報の表示が消去された後、前記ユーザ操作により選択・決定されたタイトル名のタイトルを光ディスクから再生させる再生制御手段とを有するシステムコントローラを備えたので、光ディスクが挿入されてから再生されるまでの間、マウント処理中である旨の表示に代え、当該光ディスクに記録されている内容を示すタイトル名などをディスプレイ装置に表示させることができ、これにより、ユーザは、マウント処理の完了を待つ時間を有効に利用して、記録タイトルの内容を早く把握することができる。また、タイトル情報がディスプレイ装置に表示されている間でも、各種ディスク情報の読み出しを行うことができるので、マウント処理の終了が遅くなることはなく、再生開始時間が遅れるようなことがない。
【００２１】
また、本発明によれば、記録時に光ディスクのレコーディングマネージメントデータ領域の空き領域にタイトル情報を記録させるタイトル情報記録手段と、光ディスクが挿入されたことを検知してマウント処理を開始させるマウント処理開始手段と、マウント処理が開始してからマウント処理が終了するまでの間にタイトル情報をディスプレイ装置に表示させるためのタイトル情報表示モードに設定されたか否かを判定するタイトル情報表示モード判定手段と、前記タイトル情報表示モードに設定されたと判定されたとき、記録時に光ディスクのレコーディングマネージメントデータ領域の空き領域に予め記録されたタイトル情報を読み出すタイトル情報読出手段と、前記読み出されたタイトル情報をディスプレイ装置に表示させるタイトル情報表示手段とを有するシステムコントローラを備えたので、光ディスクが挿入されてから再生されるまでの間、マウント処理中である旨の表示に代え、当該光ディスクに記録されている内容を示すタイトル名などをディスプレイ装置に表示させることができ、これにより、ユーザは、マウント処理の完了を待つ時間を有効に利用して、記録タイトルの内容を早く把握することができる。
【発明を実施するための最良の形態】
【００２２】
以下、添付図面を参照しつつ、本発明の実施の形態について説明する。図１は本発明の一実施形態に係る光ディスク記録再生装置の構成を示すブロック図である。
【００２３】
図１において、この光ディスク記録再生装置は、装置全体を制御するシステムコントローラ２２と、ＤＶＤまたはＣＤなどの光ディスク１を回転させるスピンドルモータ５と、光ディスク１に対して情報の書き込み／読み出しを光学的に行う光ピックアップ２と、この光ピックアップ２を光ディスク１の半径方向に移動させるためのスレッド３と、システムコントローラ２２の指示に応じて、モータ駆動回路３４を通じてスピンドルモータ５、およびスレッド３を駆動すると共に、光ピックアップ２に内蔵された対物レンズ（図示せず）を動かすことによりレーザ光の焦点位置を光ディスク１の記録面に対して垂直方向および水平方向に移動させる制御を行うサーボ制御部４とを備えている。
【００２４】
また、この光ディスク記録再生装置は、光ディスク１の再生時に光ピックアップ２からの読取信号であるＲＦ信号を増幅するＲＦアンプ６と、このＲＦアンプ６から出力されたＲＦ信号をデジタルデータに変換した後に光ディスク１のデータフォーマットに応じた信号復調処理と誤り訂正処理を行って生成したデータをバッファメモリとしてのＲＡＭ７に格納するデジタル信号処理部８と、システムコントローラ２２の指示に応じてデジタル信号処理部８から出力されたデータストリームの中からオーディオデータとサブピクチャデータとビデオデータとを分離するストリーム分離部９とを備えている。
【００２５】
また、この光ディスク記録再生装置は、ストリーム分離部９から出力されたオーディオデータを入力して所定のデコード処理を行うオーディオデコーダ１１と、このオーディオデコーダ１１でのデコード処理を行うためにデータを一時的に格納するＲＡＭ１０と、ストリーム分離部９から出力されたサブピクチャデータを入力して所定のデコード処理を行うサブピクチャデコーダ１３と、このサブピクチャデコーダ１３でのデコード処理を行うためにデータを一時的に格納するＲＡＭ１２と、ストリーム分離部９から出力されたビデオデータを入力してＭＰＥＧなどでデコード処理を行うビデオデコーダ１５と、このビデオデコーダ１５でのデコード処理を行うためにデータを一時的に格納するＲＡＭ１４とを備えている。
【００２６】
また、この光ディスク記録再生装置は、システムコントローラ２２の指示に応じてビデオデコーダ１５から出力されたデータとサブピクチャデコーダ１３から出力されたデータとを合成するビデオプロセッサ１７と、このビデオプロセッサ１７から出力された合成データを表示用のビデオ信号に変換して画像をディスプレイ装置２０に表示させるビデオエンコーダ１８と、オーディオデコーダ１１から出力されたデータをアナログのオーディオ信号に変換して図示しない音声回路を介して例えばスピーカ１９に供給するＤ／Ａ変換器１６とを備えている。
【００２７】
また、この光ディスク記録再生装置は、システムコントローラ２２に対して、記録指示を与えるための記録キー、再生指示を与えるための再生キー、記録や再生の停止指示を与えるための停止キーなど、各種操作キーを有するリモコン２１と、このリモコン２１の操作キーよりも少ない操作キーを有する本体操作部（図示せず）とを備えている。また、この光ディスク記録再生装置は、装置の各構成要素を制御したり、装置全体を制御したりするためのプログラムやデータなどが記憶されたフラッシュＲＯＭ２３と、このフラッシュＲＯＭ２３のプログラムやデータに従って演算処理を行いシステムコントローラ２２を制御するＣＰＵ２４と、このＣＰＵ２４の演算処理に必要なデータを一時的に格納するＲＡＭ２７と、フラッシュＲＯＭ２３に記憶されている操作内容などの情報をディスプレイ装置２０に表示させる際にＯＳＤ（オンスクリーンディスプレイ）処理するＯＳＤ回路３５とを備えている。
【００２８】
また、この光ディスク記録再生装置は、アンテナ２８に接続されデジタルチューナとアナログチューナの機能を有するチューナ２９と、このチューナ２９で選局されたテレビ放送の映像音声信号、あるいは図示しないテレビ受信機や他の映像音声出力機器からの映像音声信号をエンコードできるようにデジタルの映像音声データに変換するＡ／Ｄ変換回路３０と、前記映像音声データをＭＰＥＧなどでエンコードするエンコーダ３１と、前記エンコードした映像音声データ（以下エンコードデータと言う）を一時的に所定量だけ格納するバッファメモリとしてのＲＡＭ３２と、記録データ変調回路２５と接続するインターフェースであるＡＴＡＰＩ（AT Attachment Packet Interface）３３と、このＡＴＡＰＩ３３から送られてきたエンコードデータを光ディスク１に記録するために変調をかける記録データ変調回路２５と、この記録データ変調回路２５により変調された変調データに基づいて光ピックアップ２から出射するレーザ光を変調させるためのレーザ変調信号を光ピックアップ２に出力するレーザ変調回路２６とを備えている。
【００２９】
システムコントローラ２２は、本実施形態の特徴とする構成要素として、記録時に光ディスク１のＲＭＤ領域の空き領域にタイトル情報を記録させるタイトル情報記録手段と、光ディスク１が挿入されたことを検知してマウント処理を開始させるマウント処理開始手段と、マウント処理が開始してからマウント処理が終了するまでの間にタイトル情報をディスプレイ装置２０に表示させるためのタイトル情報表示モードに設定されたか否かを判定するタイトル情報表示モード判定手段と、前記タイトル情報表示モードに設定されたと判定されたとき、記録時に光ディスク１のＲＭＤ領域の空き領域に予め記録されたタイトル情報を読み出すタイトル情報読出手段と、前記読み出されたタイトル情報をディスプレイ装置２０に表示させるタイトル情報表示手段と、前記タイトル情報をディスプレイ装置２０に表示している間に引き続く前記マウント処理で各種ディスク情報をＲＭＤ領域およびリードイン領域から読み出すディスク情報読出手段と、前記各種ディスク情報が読み出されてマウント処理が終了した後、ディスプレイ装置２０に表示されたタイトル情報から再生させたいタイトル名がユーザ操作により選択・決定されたとき、前記タイトル情報の表示を消去するタイトル情報消去手段と、前記タイトル情報の表示が消去された後、前記ユーザ操作により選択・決定されたタイトル名のタイトルを光ディスク１から再生させる再生制御手段とを有する。
【００３０】
図２は本実施形態においてＤＶＤにおける記録領域のフォーマットを説明するための構成図である。図２に示すようにＤＶＤには、記録時のレーザパワーを最適化するためにテストデータを記録するテスト領域であるＰＣＡ（Power Calibration Area）、記録管理領域であるＲＭＡ（Recording Management Area）、ＤＶＤをアクセスするのに必要なパラメータが記録されるリードイン（Lead-in）領域、映像情報や音声情報などのデータが記録されるデータ領域、およびＤＶＤをアクセスするのに必要なパラメータが記録されるリードアウト（Lead-out）領域が存在し、ＲＭＡには、ＲＭＡリードインのデータとＲＭＤ（Recording Management Data）が記録される。ＲＭＡリードインのデータには、ドライブ製造者ＩＤやシリアル番号、ディスクＩＤなどを含む。また、ＲＭＤは、ＯＰＣ（Optimum Power Control）関連情報やデータ領域情報、記録モード情報などを含む。ＲＭＤは、セット♯１〜セット♯２８までの２８個のセットで構成され、各セットは５個のブロックから構成される。
【００３１】
各ブロックは、連結損失領域およびフィールド０〜フィールド１４を含む。各ブロックの大きさは３２ＫＢであり、フィールド０〜フィールド１４には、当該ＤＶＤが例えば、ＤＶＤ−ＲＷであれば、ＤＶＤ−ＲＷのモード（インクリメンタル・モード、ディスク・アットワンス・モード、オーバライト・モード）に応じて異なる情報が記録される。例えば、追記モードでありデータを順次追加記録でき、データの記録が完了したときに、その情報をＲＭＡに記録する前記インクリメンタル・モードにおいては、フィールド０に共通情報、フィールド１にＯＰＣ情報やＲＭＤセットのポインタ情報、フィールド２にユーザ指定データや消去操作情報が記録される。その消去操作情報とは、消去位置や消去回数を示す情報である。以上説明した各種情報は、本実施形態で言う各種ディスク情報に相当する。
【００３２】
図３は本実施形態において記録時の処理を説明するためのフローチャートである。このフローチャートおよび図１、図２を参照して記録時の処理について説明する。
【００３３】
先ず、ユーザが例えばリモコン２１の電源キーを押下すると、システムコントローラ２２は、装置の電源をオンする（ステップＳ１）。そして、記録可能なＤＶＤが装置に挿入されると、システムコントローラ２２は、ＤＶＤが挿入されたことを検知し（ステップＳ２）、この後、例えば、リモコン２１の記録キーが押下されると、これにより、記録指示されたことを検知し（ステップＳ３）、サーボ制御部４およびモータ駆動回路３４を介してスピンドルモータ５を駆動させることによりＤＶＤを少しの時間だけ回転させると共に、サーボ制御部４を介して光ピックアップ２を駆動させ、ＤＶＤのＰＣＡに対してテストデータを試し書きし、光ピックアップ２の記録時のレーザパワーを最適化した後、チューナ２９で選局されたタイトル（番組）を記録開始させる。この際、システムコントローラ２２のタイトル情報記録手段は、ＤＶＤのＲＭＤの空き領域にタイトル情報（番組情報）を記録させる（ステップＳ４）。
【００３４】
即ち、システムコントローラ２２は、チューナ２９で選局して受信したテレビ放送信号に含まれるタイトル情報（番組情報）を、チューナ２９内の図示しない信号分離回路により取り出して、Ａ／Ｄ変換回路３０、エンコーダ３１、ＲＡＭ３２、ＡＴＡＰＩ３３、記録データ変調回路２５、レーザ変調回路２６、および光ピックアップ２の各動作により、そのタイトル情報（番組情報）をＤＶＤのＲＭＤの空き領域にタイトル情報（番組情報）を書き込む。このタイトル情報（番組情報）は、例えば、デジタルテレビ放送においては、テレビ放送信号と共に送信されてきたＥＩＴの情報（番組情報）としてのタイトル名（番組名）やチャンネルや放送日時などを示す情報）であり、また、アナログテレビ放送においても、テレビ放送信号と共に送信されてきた番組情報としてのタイトル名（番組名）やチャンネルや放送日時などを示す。
【００３５】
そして、そのタイトル（番組）の記録が終了すると（ステップＳ６）、システムコントローラ２２は、ＤＶＤのＲＭＡおよびリードイン領域に各種ディスク情報を記録させる（ステップＳ７）。なお、ファイナライズ処理を行う場合には、ＤＶＤのリードアウト領域にも、ディスク情報を記録させる。即ち、システムコントローラ２２は、ＤＶＤにタイトル（番組）を記録した後に、再生させることを可能にするための必要な各種ディスク情報を、ＡＴＡＰＩ３３を介して記録データ変調回路２５に入力し、記録データ変調回路２５、レーザ変調回路２６、および光ピックアップ２の各動作により、タイトル情報（番組情報）をＤＶＤのＲＭＡおよびリードイン領域に記録する。そして、システムコントローラ２２は、ＲＭＡの領域およびリードイン領域への各種ディスク情報の記録が完了したと判定すると（ステップＳ８）、当該タイトル（当該テレビ場番組）に対する記録処理を終了させる。
【００３６】
図４は本実施形態において再生時の処理を説明するためのフローチャートである。このフローチャートおよび図１、図２を参照して再生時の処理について説明する。
【００３７】
先ず、ユーザが例えばリモコン２１の電源キーを押下すると、システムコントローラ２２は、装置の電源をオンする（ステップＮ１）。そして、ＲＭＤ領域に予めタイトル情報（番組情報）が記録され、タイトル（番組）が記録されたＤＶＤが挿入されると、システムコントローラ２２のマウント処理開始手段は、ＤＶＤが挿入されたことを検知して（ステップＮ２）、マウント処理を開始させる（ステップＮ３）。即ち、マウント処理開始手段は、サーボ制御部４およびモータ駆動回路３４を介してスピンドルモータ５を駆動させることによりＤＶＤを少しの時間だけ回転させると共に、サーボ制御部４を介して光ピックアップ２を駆動させることにより、ＤＶＤから各種ディスク情報を読み出すまでの処理（図２に示すＰＣＡとＲＭＡとリードイン領域の各情報を読み出すまでの処理）であるマウント処理を開始させる。なお。ＲＭＡはＲＭＡリードイン領域およびＲＭＤ領域を含む領域である。
【００３８】
ここで、マウント処理が開始してからマウント処理が終了するまでの間に、システムコントローラ２２のタイトル情報表示モード判定手段は、リモコン２１の再生リストキーが押下されてタイトル情報（番組情報）をディスプレイ装置２０に表示させるためのタイトル情報表示モードに設定されたか否かを判定する（ステップＮ４）。前記タイトル情報表示モードに設定されたと判定されたとき、システムコントローラ２２のタイトル情報読出手段は、記録時に予めＲＭＤの空き領域に記録されたタイトル情報（番組情報）を読み出す（ステップＮ５）。
【００３９】
次に、システムコントローラ２２のタイトル情報読出手段は、ＤＶＤのＲＭＤの空き領域から読み出されたタイトル情報（番組情報）を再生リストとしてディスプレイ装置２０に表示させる（ステップＮ６）。そして、前記タイトル情報（番組情報）がディスプレイ装置２０に表示されている間に、システムコントローラ２２のディスク情報読出手段は、引き続く前記マウント処理で各種ディスク情報をＲＭＡ（ＲＭＡリードイン領域およびＲＭＤ領域）とリードイン領域から読み出す（ステップＮ７）。
【００４０】
前記各種ディスク情報が読み出されてマウント処理が終了した後、システムコントローラ２２のタイトル情報消去手段は、ディスプレイ装置２０に表示された再生リストからユーザが再生させたいタイトル名（番組名）が、ユーザによるリモコン２１の操作により選択・決定されたことを検知したとき（ステップＮ８）、ディスプレイ装置２０に表示されているタイトル情報（番組情報）を消去する（ステップＮ９）。即ち、タイトル情報消去手段は、タイトル情報（番組情報）を示す再生リストをディスプレイ装置２０の画面から消去する。そして、システムコントローラ２２の再生制御手段は、前記ユーザ操作により選択・決定されたタイトル名（番組名）のタイトル（番組）をＤＶＤのデータ領域から読み出して再生させ、ディスプレイ装置２０に再生映像を表示させると共に、再生音声をスピーカ１９から出力させる（ステップＮ１０）。そして、システムコントローラ２２は、当該タイトル（当該番組）の再生が終了したと判定すると（ステップＮ１１）、本処理を終了させる。
【００４１】
ステップＮ４において、前記タイトル情報表示モードに設定されてないと判定されたときには、システムコントローラ２２のディスク情報読出手段は、引き続くマウント処理で各種ディスク情報をＲＭＡ（ＲＭＡリードイン領域とＲＭＤ領域）およびリードイン領域から読み出す（ステップＮ１２）。そして、前記マウント処理が終了した後、システムコントローラ２２のタイトル情報表示モード判定手段は、リモコン２１の再生リストキーが押下されてタイトル情報（番組情報）をディスプレイ装置２０に表示させるためのタイトル情報表示モードに設定されたか否かを判定する（ステップＮ１３）。前記タイトル情報表示モードに設定されたと判定されたとき、システムコントローラ２２のタイトル情報読出手段は、ＲＭＤ領域から読み出されたタイトル情報（番組情報）を再生リストとしてディスプレイ装置２０に表示させる（ステップＮ１４）。
【００４２】
この場合、ＲＭＤ領域に予めタイトル情報（番組情報）が記録されているＤＶＤに対して再生を行うときは、ＲＭＤ領域に予め記録されているタイトル情報（番組情報）を読み出すことにより、ディスプレイ装置２０にタイトル情報（番組情報）が表示されるが、ＲＭＤ領域に予めタイトル情報（番組情報）が記録されていないＤＶＤに対して再生を行うときは、従来通りマウント処理を終えた後のＲＭＤ領域からタイトル情報（番組情報）を読み出すことにより、ディスプレイ装置２０にタイトル情報（番組情報）が再生リストとして表示されることになる。
【００４３】
次に、システムコントローラ２２のタイトル情報消去手段は、ディスプレイ装置２０に表示された再生リストからユーザが再生させたいタイトル（番組）のタイトル名（番組名）が、ユーザによるリモコン２１の操作により選択・決定されたとき（ステップＮ８）、前記タイトル情報（再生リスト）の表示を消去する（ステップＮ９）。そして、システムコントローラ２２の再生制御手段は、前記ユーザ操作により選択・決定されたタイトル名のタイトル（番組）をＤＶＤのデータ領域から読み出して再生させ、ディスプレイ装置２０の再生映像を表示させると共に、再生音声をスピーカ１９から出力させ、再生が終了したと判定すると（ステップＮ１１）、本処理を終了させる。
【００４４】
以上説明したように本実施形態によれば、マウント処理中であっても、リモコン２１の再生リストキーが押下されると、ディスプレイ装置２０にタイトル情報を示す再生リストが表示されるので、記録タイトルの内容を早く把握することができ、ユーザにとっては使い勝手が向上する。また、タイトル情報がディスプレイ装置２０に表示されている間でも、各種ディスク情報の読み出しを行うことができるので、マウント処理の終了が遅くなることはなく、再生開始時間が遅れるようなことがない。
【産業上の利用可能性】
【００４５】
本発明は、ＤＶＤレコーダなどの光ディスク記録再生装置に利用可能であり、タイトル情報を示す再生リストを早く表示させることを可能にする。
【図面の簡単な説明】
【００４６】
【図１】本発明の一実施形態に係る光ディスク記録再生装置の構成を示すブロック図である。
【図２】前記実施形態においてＤＶＤにおける記録領域のフォーマットを説明するための構成図である。
【図３】前記実施形態において記録時の処理を説明するためのフローチャートである。
【図４】前記実施形態において再生時の処理を説明するためのフローチャートである。
【符号の説明】
【００４７】
１    光ディスク
２０    ディスプレイ装置
２２    システムコントローラ（タイトル情報記録手段、マウント処理開始手段、タイトル情報表示モード判定手段、タイトル情報読出手段、タイトル情報表示手段、ディスク情報読出手段、タイトル情報消去手段、再生制御手段）
【図１】
2008130195.tif 000003
【図２】
2008130195.tif 000004
【図３】
2008130195.tif 000005
【図４】
2008130195.tif 000006